(57)【特許請求の範囲】
【請求項１】
隣接する第一エア吹出口及び第二エア吹出口を備えたエアコンユニットと、隣接する第一通風流路及び第二通風流路を備えた空調ダクトとの取り付け構造であって、
前記第一エア吹出口及び前記第二エア吹出口は、その外周の一辺に切り欠き部を有するコの字形補助壁と、第一エア吹出口及び第二エア吹出口を仕切る吹出口境界壁とからなり、
第一ダクトの開口部端と第二ダクトの開口部端との間にダクト側段差部が形成され、
前記ダクト側段差部を前記吹出口境界壁に当接させて、空調ダクトをエアコンユニットに取り付けることを特徴とするエアコンユニットと空調ダクトとの取り付け構造。
【請求項２】
前記ダクト側段差部は前記第一ダクトの開口部端が前記第二ダクトの開口部端よりも突出して形成されることにより形成されることを特徴とする請求項１記載のエアコンユニットと空調ダクトとの取り付け構造。
【請求項３】
吹出口境界壁にエアコン側段差部が形成され、
該エアコン側段差部は、前記第二エア吹出口の開口部端が前記第一エア吹出口の開口部端よりも引っ込んで低く形成されることにより形成され、
ダクト側段差部をエアコン側段差部に当接させて、空調ダクトをエアコンユニットに取り付けることを特徴とする請求項１記載のエアコンユニットと空調ダクトとの取り付け構造。
【請求項４】
前記エアコン側段差部がダクト側段差部と同じ大きさであることを特徴とする請求項３記載のエアコンユニットと空調ダクトとの取り付け構造。
【請求項５】
コの字形補助壁の上端と、吹出し口境界壁の上端との間の間隔は、コの字形補助壁の上端と切り欠き部の上端との間の間隔よりも小さいことを特徴とする請求項１記載のエアコンユニットと空調ダクトとの取り付け構造。
【請求項６】
吹出し口境界壁とダクト側段差部とがシール材を介して当接されていることを特徴とする請求項１記載のエアコンユニットと空調ダクトとの取り付け構造。
【請求項７】
空調ダクトは切り欠き部を通しスライドさせてエアコンユニットに取り付けられることを特徴とする請求項１記載のエアコンユニットと空調ダクトとの取り付け構造。
【発明の詳細な説明】
【技術分野】
【０００１】
車両に搭載されるエアコンユニットとその吹出口に取り付けられる空調ダクトとの取り付け構造に関する。
【背景技術】
【０００２】
現在、車両内の空調は車両用のエアコンユニットから排出される空調エアを、空調ダクトを用いて車両内部の所定の位置まで供給して吹き出させることによって行われている。
一般的なエアコンユニットは空調エアの吹出口を二つ備えており、それぞれに異なる位置へ空調エアを供給するためのダクトが取り付けられている。
さらに最近では、エアコンユニットは複数の吹出口から異なる温度の空調エアを排出させることができるものもある。
【０００３】
エアコンユニットに空調ダクトを取り付ける方法は多岐に渡っており、例えば特許文献１に記載されているように予め一方の空調ダクトと、他方の空調ダクトとを爪部を用いて嵌合させて一体に固定させた後、一体化させた空調ダクトを吹出口に取り付けるという方法がある。
また、特許文献２に記載されているように空調ダクトが接続されたインストルメントパネル等のユニットを車両に対して組み付ける時に空調ダクトの他端がエアコンユニットにスライド固定されるための空調ケースを設けたものなどがある。
【０００４】
空調ダクトを吹出口に取り付ける際の本発明に係る取り付け方法に対する従来例を図５に示す。
これによると先ず、予め二本の空調ダクト１０１、１０２を添合した状態で固定し、ユニット化しておく。
またエアコンユニットの吹出口２０２を、その一部（矢印で示すダクトの組付け軌道の前面）が切り欠かれた状態（切り欠き部Ｋ）で形成する。
次に、ユニット化した空調ダクト１００を切り欠き部Ｋが形成されている方向から吹出口に接近させ、空調ダクト１００の外周面を吹出口２０１、２０２の内周面に当接させて接合する。
【特許文献１】特開平６−１０６９５６号公報
【特許文献２】特開２００４−９８７２７号公報
【発明の開示】
【発明が解決しようとする課題】
【０００５】
図５に示した取り付け方法の場合、エアコンユニットの吹出口境界縁２００Ａと、空調ダクトの境界縁１００Ａとは突合わせのほぼ線接触に近い状態で接合される。
そのため、一方の吹出口２０１から排出された空調エアがダクト１０２へと流れ込んだり、或いは、他方の吹出口２０２から排出された空調エアがダクト１０１へと流れ込んだりする、いわゆるエア漏れ現象が発生し易い。
このエア漏れ現象を防止するために、エアコンユニットの吹出口境界縁２００Ａと空調ダクトの境界縁１００Ａとの接合部にはシール材を取り付ける必要がある。
【０００６】
エアコンユニットの吹出口境界縁２００Ａと空調ダクトの境界縁１００Ａとの接合部にシール材を取り付けるためには、接合する際に予め前もってシール材をエアコンユニットの吹出口境界縁２００Ａまたは空調ダクトの境界縁１００Ａに取り付けておかなければならない。
【０００７】
しかしながら、エアコンユニットの吹出口境界縁２００Ａまたは空調ダクトの境界縁１００Ａにシール材を取り付けたとしても、エアコンユニットの吹出口境界縁２００Ａと空調ダクトの境界縁１００Ａとの当接面積は極めて小さいことから、組付け時のバラツキにより取り付け状態が不安定である。
さらに、組付けの際、シール材が境界縁から剥離することがあり、必ずしもシール性を十分に確保できない。
そのため、エア漏れ現象を生じないように組付け状態を維持することが困難となる。
【０００８】
本発明は以上の課題を解決すべく開発されたものである。
すなわち、エア漏れ現象を発生させないような、エアコンユニットと空調ダクトとの取り付け構造を提供することを目的とする。
【課題を解決するための手段】
【０００９】
本発明者は、以上のような課題背景をもとに鋭意研究を重ねた結果、エアコンユニットと空調ダクトとの接合部の形状に工夫を加えることにより、上記の課題を解決できることを見出し、その知見に基づいて本発明を完成させたものである。
【００１０】
すなわち本発明は、隣接する第一エア吹出口及び第二エア吹出口を備えたエアコンユニットと、隣接する第一通風流路及び第二通風流路を備えた空調ダクトとの取り付け構造であって、前記第一エア吹出口及び前記第二エア吹出口は、その外周の一辺に切り欠き部を有するコの字形補助壁と、第一エア吹出口及び第二エア吹出口を仕切る吹出口境界壁とからなり、第一ダクトの開口部端と第二ダクトの開口部端との間にダクト側段差部が形成され、前記ダクト側段差部を前記吹出口境界壁に当接させて、空調ダクトをエアコンユニットに取り付けるエアコンユニットと空調ダクトとの取り付け構造に存する。
【００１１】
さらに本発明は、前記ダクト側段差部は前記第一ダクトの開口部端が前記第二ダクトの開口部端よりも突出して形成されることにより形成されるエアコンユニットと空調ダクトとの取り付け構造に存する。
【００１２】
また本発明は、吹出口境界壁にエアコン側段差部が形成され、該エアコン側段差部は、前記第二エア吹出口の開口部端が前記第一エア吹出口の開口部端よりも引っ込んで低く形成されることにより形成され、ダクト側段差部をエアコン側段差部に当接させて、空調ダクトをエアコンユニットに取り付けるエアコンユニットと空調ダクトとの取り付け構造に存する。
【００１３】
また本発明は、前記エアコン側段差部がダクト側段差部と同じ大きさであるエアコンユニットと空調ダクトとの取り付け構造に存する。
【００１４】
また本発明は、コの字形補助壁の上端と、吹出し口境界壁の上端との間の間隔は、コの字形補助壁の上端と切り欠き部の上端との間の間隔よりも小さいエアコンユニットと空調ダクトとの取り付け構造に存する。
【００１５】
また本発明は、吹出し口境界壁とダクト側段差部とがシール材を介して当接されているエアコンユニットと空調ダクトとの取り付け構造に存する。
【００１６】
また本発明は、空調ダクトは切り欠き部を通しスライドさせてエアコンユニットに取り付けられるエアコンユニットと空調ダクトとの取り付け構造に存する。
【００１７】
なお、本発明の目的に添ったものであれば上記の発明を適宜組み合わせた構成も採用可能である。
【発明の効果】
【００１８】
本発明のエアコンユニットと空調ダクトとの取り付け構造によれば、エア漏れ現象が生じることなく空調ダクトをエアコンユニットの吹出口に取り付けることができる。
また、複数の通風流路を有する空調ダクトを、スライド方向の接合により高い気密性を維持してエアコンユニットに取り付けることができる
【００１９】
エアコンユニットに設けられるエアコン側段差部と、空調ダクトに設けられるダクト側段差部とが同じ大きさであると、空調ダクトとエアコンユニットとの接合の際の位置決めが容易となり、一定の面積で接合されて安定した気密性を確保することができる。
【発明を実施するための最良の形態】
【００２０】
〔第一の実施形態〕
（エアコンユニットの構成）
本発明の一実施形態を、図面を用いて説明する。
図１は本実施形態のエアコンユニットの吹出口及び吹出口に取り付けられる空調ダクトの斜視図である。
図１（Ａ）に示すように、本実施形態のエアコンユニット１（所謂ＨＶＡＣモジュール）は矩形の第一エア吹出口１１及び矩形の第二エア吹出口１２を備えており、これら第一エア吹出口１１及び第二エア吹出口１２からは通常それぞれ異なる温度の空調エアが供給される。
【００２１】
第一エア吹出口１１及び第二エア吹出口１２は、その外周の一辺に切り欠き部Ｋを有するコの字形補助壁２と、第一エア吹出口１１及び第二エア吹出口１２を仕切る吹出口境界壁１３０とより構成される。
ここで、第一エア吹出口１１と第二エア吹出口１２とは吹出口境界壁１３０を介して隣接して形成されており、エアコンユニット１の吹出口は切り欠き部Ｋ、吹出口境界壁１３０、コの字形補助壁２の順に壁面が高く形成されている。
すなわち、コの字形補助壁２の上端と、吹出し口境界壁１３０の上端との間の間隔（ｄ２）は、コの字形補助壁２の上端と切り欠き部Ｋの上端との間の間隔（ｄ１）よりも小さい。
【００２２】
（空調ダクトの構成）
図１（Ｂ）に示すように、本実施形態の空調ダクト３は、矩形の第一ダクト３１及び矩形の第二ダクト３２を備えている。
第一ダクト３１により空調ダクトの第一通風流路が構成され、第二ダクト３２により空調ダクトの第二通風流路が構成される。第一ダクト３１の開口部の形は第一エア吹出口１１の形と一致しており、同様に第二ダクト３２の開口部の形は第二エア吹出口１２の形と一致している。
空調ダクト３をエアコンユニット１に取り付ける際は、第一ダクト３１を第一エア吹出口１１に、また、第二ダクト３２を第二エア吹出口１２に対応するように取り付ける。
【００２３】
第二ダクト３２の開口部端３２Ａは第一ダクト３１の開口部端３１Ａよりも突出して形成されているため、第一ダクト３１の境界壁３１０と、第二ダクト３２の境界壁３２０との間にはダクト側段差部Ｚが形成される。
なお、第一ダクト３１の境界壁３１０とは、第一ダクト３１を構成する周壁のうち第二ダクト３２に隣接する周壁を指している。
同様に、第二ダクト３２の境界壁３２０とは、第二ダクト３２を構成する周壁のうち第一ダクト３１に隣接する周壁を指している。
このダクト側段差部Ｚは、空調ダクト３をエアコンユニット１に取り付ける際に、シール材を介して吹出口境界壁１３０と当接する部分である。
【００２４】
次にエアコンユニット１に空調ダクト３を取り付ける手順について述べる。
図２は空調ダクト１がエアコンユニット３に取り付けられた状態を示す断面図である。
先ず、第一エア吹出口１１と第一ダクト３１との接合部分、及び第二エア吹出口１２と第二ダクト３２との接合部分から空調エアが漏れることを防止するために、空調ダクト３をエアコンユニット１に取り付ける前に、図２に示すように、第一ダクト３１の少なくとも前面及び、第二ダクト３２の側段差部Ｚにシール材４を予め取り付けておく。
【００２５】
ここでシール材４としては、ポリウレタン製のパッキン等が採用される。
シール材４は各ダクトの所定の位置に接着等の方法により固定しておくことが好ましい。
なお、シール材４の種類は特に限定されるものではない。
【００２６】
次に、空調ダクト３をエアコンユニット１の吹出口に対しスライドさせていく。すなわち、空調ダクト３を第二エア吹出口１２の側からスライドさせ、切り欠き部Ｋを通過させる。
エアコンユニット１の吹出口は切り欠き部Ｋ、吹出口境界壁１３０、コの字形補助壁２の順に壁面が高く形成されており、さらに第一ダクト３１の開口端３１Ａは第二ダクト３２の開口端３２Ａより低く形成されている。
このため、第一ダクト３１の前面は切り欠き部Ｋを通過した後、吹出口境界壁をも通過して、第一エア吹出口側のコの字形補助壁２と当接する位置まで進む。
【００２７】
同時に、空調ダクト３は切り欠き部Ｋを通過した後、段差部Ｚが吹出口境界壁１３０と当接する位置まで進む。
これにより、第一ダクト３１の前面は切り欠き部Ｋを通過した後、コの字形補助壁２の内周面にシール材４を介して当接し、ダクト側段差部Ｚはエアコンユニット１の吹出口境界壁１３０にシール材４を介して当接する。
その結果、エアコンユニット１と空調ダクト３とは切り欠き部Ｋ側を除き一定の面積で接触した状態で接合される。
【００２８】
最後に、切り欠き部Ｋ側において、第二エア吹出口１２と第二ダクト３２との接合面を覆うようにシール材４Ａを貼り付けることで、空調ダクト３がエアコンユニット１に気密状態にて取り付けられる。
【００２９】
このように、空調ダクト３にダクト側段差部Ｚを設けることにより、シール材４の取り付け代が十分に確保でき、シール材４を安定的に確実に取り付けることができる。
さらに、ダクト側段差部Ｚと吹出口境界壁１３０とは、面接触により接合されているので、第一エア噴出口１１と第一ダクト３１とで形成される流通路Ｓ１、及び第二エア噴出口１２と第二ダクト３２とで形成される流通路Ｓ２との間でのシール性が確実となり、エア漏れ現象の発生が確実に防止される。
【００３０】
本発明では、空調ダクト３をエアコンユニット１に対しスライドして取り付けるので、第一ダクト３１の前面がコの字形補助壁２の内周面に当接して接合された際には、空調ダクト３の切り欠き部Ｋ側を除く全ての外周が同時に接合された状態になるので、最後に切り欠き部Ｋ側のみを封止すればよく、空調ダクト３をエアコンユニット１に効率良く取り付けることができる。
【００３１】
なお、空調ダクト３の壁面に突起を設け、コの字形補助壁２の壁面に空調ダクト３に設けられた突起が嵌るための案内溝を設けることが好ましい。
空調ダクト３の突起がコの字形補助壁２の案内溝に案内されるので、空調ダクト３をコの字形補助壁２の内側にスライド挿入させ易くなる。
その結果、空調ダクト３の壁面に取り付けられたシール材が、スライド中に発生するコの字形補助壁２との摩擦により剥がれてしまうことが防止される。
【００３２】
〔第二の実施形態〕
本発明の他の実施形態を、図面を用いて説明する。図３は本実施形態のエアコンユニットの吹出口の斜視図である。
図３（Ａ）に示すように、本実施形態のエアコンユニット１においては、第二エア吹出口１２の開口部端１２Ａが、第一エア吹出口の開口部端１１Ａよりも引っ込んで低く形成されているので、第一エア吹出口１１の境界壁１１０と、第二エア吹出口１２の境界壁１２０とからなる吹出口境界壁１３０には段差部Ｘが形成されている（以下この段差部を「エアコン側段差部」という）。
このとき、エアコン側段差部Ｘは空調ダクト３のダクト側段差部Ｚと同じ大きさに形成される。
このエアコン側段差部Ｘは、空調ダクト３をエアコンユニット１に取り付ける際に、ダクト側段差部Ｚがシール材を介して当接する部分となる。
【００３３】
吹出口境界壁１３０にエアコン側段差部Ｘが形成されることにより、空調ダクト３をエアコンユニット１に接合させる際に、空調ダクト３の位置決めが容易となり、一定の面積で接合されて安定した気密性を確保することができる。
【００３４】
また、本実施形態のコの字形補助壁２は、第一エア吹出口１１及び第二エア吹出口１２を包囲して開口部端１１Ａ、１２Ａから延長突出するように設けられ、コの字形補助壁２の内周面全体は、空調ダクト３の周壁に取り付けられるシール材４が当接するための当接代Ｙとなる。
なお、空調ダクト３を第二の実施形態のエアコンユニット１の吹出口に取り付ける方法は、上述した空調ダクト３を第一の実施形態のエアコンユニット１の吹出口に取り付ける方法と同様である（図４参照）。
【００３５】
以上、本発明を説明してきたが、本発明は実施の形態に限定されることなく種々の変形例が可能である。
例えば、実施の形態ではシール材４を空調ダクト３側に取り付けた場合で示したが、エアコン１側に取り付けることも可能である。
また、独立したシール材を用いることも可能である。
【図面の簡単な説明】
【００３６】
【図１】図１は本実施形態のエアコンユニットの吹出口及び該吹出口に取り付けられる空調ダクトの斜視図である。
【図２】図２は本実施形態の空調ダクトがエアコンユニットに取り付けられた状態を示す断面図である。
【図３】図３は他の実施形態のエアコンユニットの吹出口及び該吹出口に取り付けられる空調ダクトを示す斜視図である。
【図４】図４は他の実施形態の空調ダクトがエアコンユニットに取り付けられた状態を示す断面図である。
【図５】図５は空調ダクトをエアコンユニットに取り付ける従来例に係る方法を示す断面図である。
【符号の説明】
【００３７】
１・・・エアコンユニット
１１・・・第一エア吹出口
１１Ａ・・・開口部端
１１０・・・境界壁
１２・・・第二エア吹出口
１２Ａ・・・開口部端
１２０・・・境界壁
１３０・・・吹出口境界壁
２・・・コの字形補助壁
３・・・空調ダクト
３１・・・第一ダクト
３１０・・・境界壁
３２・・・第二ダクト
３２０・・・境界壁
４・・・シール材
４Ａ・・・シール材
１００・・・空調ダクト
１０１・・・空調ダクト
１０２・・・空調ダクト
１００Ａ・・・空調ダクトの境界縁
２０１・・・エアコンユニットの吹出口
２０２・・・エアコンユニットの吹出口
２００Ａ・・・エアコンユニットの吹出口境界縁
Ｋ・・・切り欠き部
Ｓ１・・・第一通風流路
Ｓ２・・・第二通風流路
Ｘ・・・エアコン側段差部
Ｙ・・・当接代
Ｚ・・・ダクト側段差部
【図１】
0004943266.tif 000002
【図２】
0004943266.tif 000003
【図３】
0004943266.tif 000004
【図４】
0004943266.tif 000005
【図５】
0004943266.tif 000006